(57)【要約】      （修正有）【課題】手作業によるフェンダへのインシュレータの取り付けを自動化し、インシュレータのセット性及び溶着による「張り」による位置ずれを改善し、溶着の自動化が可能な取付装置を提供する。【解決手段】フェンダ４にインシュレータ５を取り付ける装置１は、インシュレータ５を置くインシュレータ用可動式受け治具３を外周輪郭より内側に備え、フェンダ４を置くフェンダ用受け治具２を有し、クランプ装置をフェンダ用受け治具２の上方に配置し、超音波溶着素子をインシュレータ用可動式受け治具３の近傍又は内部に配置する。【選択図】図３
0003233217.tif 000002
【実用新案登録請求の範囲】
【請求項１】
インシュレータを置くインシュレータ用可動式受け治具を外周輪郭より内側に備えた、
フェンダを置くフェンダ用受け治具を有する
フェンダにインシュレータを取り付ける装置
【請求項２】
インシュレータを置くインシュレータ用受け治具を複数有する
請求項１に記載のフェンダにインシュレータを取り付ける装置
【請求項３】
クランプ装置をフェンダ用受け治具の上方に配置し、超音波溶着素子をインシュレータ用可動式受け治具の近傍又は内部に配置した請求項１及び請求項２に記載のフェンダにインシュレータを取り付ける装置
【考案の詳細な説明】
【技術分野】
【０００１】
本考案は、自動車フェンダへのインシュレータの取付装置に関するものである。
【背景技術】
【０００２】
自動車の前輪タイヤ及び後輪タイヤの泥除けとしてフェンダが配置されている。高周波騒音、凹凸走行のタイヤ変形に伴うタイヤの空洞共鳴音や、車両走行中のタイヤハウスに起因する低周波域の騒音を効率良く低減することができるフェンダーインシュレータ（以下、「インシュレータ」という。）が、車両のピラーと前記フェンダとの間に、前記フェンダに取り付ける形で配設されている。
【０００３】
自動車の前記フェンダへの前記インシュレータの取り付けは、従来、最初にフェンダを安定して置くことができる治具を製作し、当該治具を使用して、手順として、まずフェンダより小さいインシュレータを先に所定位置にセットし、次に前記インシュレータの上に反り面を上にしたフェンダをセットし、次に前記インシュレータ側より超音波溶着を施していた。しかし、この方法ではインシュレータのセット性が悪く、また、溶着による「張り」が生じて位置ずれが起きていた。
【０００４】
このような状況において、特開２０２０−６２９０３では、インシュレータをフェンダに取り付ける部分は、インシュレータの形状とは無関係な形状をしている。
【先行技術文献】
【特許文献】
【０００５】
【特許文献１】特開２０２０−６２９０３
【考案の概要】
【考案が解決しようとする課題】
【０００６】
背景技術で述べた手作業によるフェンダへのインシュレータの取り付けにおけるインシュレータのセット性の悪さ、及び溶着による「張り」による位置ずれ、及び作業の困難さが課題である。
【０００７】
しかし、特開２０２０−６２９０３の発明は、本考案が対象とする薄いシート状のインシュレータには適さない。
【課題を解決するための手段】
【０００８】
上記課題を解決するために、本考案は、次の装置を提供する。
【０００９】
インシュレータを置くインシュレータ用可動式受け治具を外周輪郭より内側に備えた、フェンダを置くフェンダ用受け治具を有するフェンダにインシュレータを取り付ける装置。  
【００１０】
インシュレータを置くインシュレータ用受け治具を複数有する
請求項１に記載のフェンダにインシュレータを取り付ける装置。
【００１１】
クランプ装置をフェンダ用受け治具の上方に配置し、超音波溶着素子をインシュレータ用可動式受け治具の近傍又は内部に配置した請求項１及び請求項２に記載のフェンダにインシュレータを取り付ける装置。
【考案の効果】
【００１２】
手作業によるフェンダへのインシュレータの取り付けが自動化され、インシュレータのセット性の改善が図られ、さらに溶着による「張り」による位置ずれが改善され、溶着の自動化が可能になった。
【図面の簡単な説明】
【００１３】
【図１】フェンダ受け治具及びインシュレータ用可動式受け治具
【図２】インシュレータ用可動式受け治具が鉛直方向の下方に移動した状態における、フェンダにインシュレータを取り付ける装置
【図３】フェンダ及びインシュレータを載せた状態の装置概略図
【図４】クランプ装置及び超音波溶着素子の説明図
【考案を実施するための形態】
【００１４】
次に、添付の図面を参照しながら実施例により本考案の実施の形態について詳しく説明する。
【実施例】
【００１５】
図１において、フェンダ４を置くフェンダ用受け治具２は、フェンダの所定の面にインシュレータ５を合わせた時の前記インシュレータ５の外周輪郭に沿って切り抜かれる。当該切り抜かれた部分をインシュレータ用可動式受け治具３とする。インシュレータ５を置くインシュレータ用可動式受け治具３は鉛直方向に摺動できるように配置されている。前記インシュレータ用可動式受け治具３は図示していない駆動装置によって鉛直方向に摺動される。
【００１６】
図２において、前記インシュレータ用可動式受け治具３はインシュレータを置けるように鉛直方向の下方に移動している。これにより、前記フェンダ用受け治具２内で分離して沈められた前記インシュレータ用可動式受け治具３にインシュレータを容易にはめ込みセットすることが出来る。以上により、インシュレータのセット性向上と位置ズレ防止を行うことができる。
【００１７】
図３において、フェンダ４が前記フェンダ受け治具２にセットされ、インシュレータ５が前記インシュレータ用可動式受け治具３にセットされている。
【００１８】
図４において、フェンダを固定するクランプ装置６が前記フェンダ用受け具２の上方に配置され、インシュレータを溶着する超音波溶着素子７が前記インシュレータ用可動受け具３の近傍及び内部に配置されている。
【００１９】
インシュレータ５を先にインシュレータ受け治具３にセットし、次にフェンダ４をフェンダ受け治具２セットする。前記フェンダ４をセットした後に、Ａの方向にクランプ装置６が下降して前記フェンダ４を固定する。次に前記インシュレータ用可動式受け治具３が摺動することにより、Ｂの方向に前記インシュレータ５を前記フェンダ４に圧接する。このとき、前記クランプ装置６は前記インシュレータ用可動式受け治具３の押し圧をバックアップしている。次に前記インシュレータ用可動式受け治具３の近傍及び内部に配置されている超音波溶着素子７により、前記インシュレータ５を前記フェンダ４に超音波溶着する。ここで、超音波溶着とは、 熱可塑性樹脂へ発振器からの超音波振動と同時に圧力を加える事によって瞬時に樹脂を溶融し溶着する組立加工技術をいう。フェンダ及びインシュレータは熱可塑性樹脂である。
【産業上の利用可能性】
【００２０】
手作業によるフェンダへのインシュレータの取り付けが自動化され、インシュレータのセット性の改善が図られ、さらに溶着による「張り」による位置ずれが改善され、自動化されるので、産業上の利用価値がある。
【符号の説明】
【００２１】
１：フェンダにインシュレータを取り付ける装置本体、２：フェンダ受け治具、３：インシュレータ用可動式受け治具、４：フェンダ、５：インシュレータ、６：クランプ装置、７：超音波溶着素子
【図１】
0003233217.tif 000003
【図２】
0003233217.tif 000004
【図３】
0003233217.tif 000005
【図４】
0003233217.tif 000006